(57)【特許請求の範囲】
【請求項１】
前面の少なくとも一部又は全部が透明な硬質樹脂フィルムで形成され後面の開口端縁が開口部より突出して形成されてなる略長方形の袋状容器本体と、前面側に重合できる折返し片を先端部分に形成してその前面側となる位置に情報記録媒体の内容等を記入する部位を設けると共に、該容器本体の開口部より露出して前面側に折り返し可能なフラップ片を基端部分に形成し、該フラップ片の一部に前記容器本体の前面に対する着脱可能な結合手段を設けてなるシート状の引出し体とからなり、該引出し体は、該折返し片と該フラップ片とによって情報記録媒体の対向端縁を支持した状態で、該容器本体内に該開口部より出し入れ自在に収納できるよう構成したことを特徴とする、情報記録媒体用容器。
【請求項２】
前記結合手段は、再剥離性粘着剤層又は再剥離性粘着剤層を設けた接合用シートである、請求項１に記載の情報記録媒体用容器。
【発明の詳細な説明】
【０００１】
【発明の属する技術分野】
本発明は、フロッピーディスク、ＣＤ、ＭＯ、メモリカード等の情報記録媒体を収容して、分類し、整理し、若しくは保存するために用いられる情報記録媒体用容器に関する。
【０００２】
【従来の技術】
従来から、軟質ポリ塩化ビニルシートやポリオレフィンシートなどで作成した袋状のカード用ケースがあり、例えば名刺入れや身分証明書ケース、或いは各種の伝票類、パンフレット等のカード類やリーフレット類などを入れて、分類保存するための文書容器などとして利用されている。
【０００３】
また、フロッピーディスク、ＣＤ、ＭＯ、メモリカード等の情報記録媒体は、硬質の合成樹脂を基材として形成されているものが多い。このような情報記録媒体の収納用として、軟質ポリ塩化ビニルシートで形成されたケースを用いると、容器が情報記録媒体に粘着したり印刷インクを汚損するなどの欠点がある。そのため従来は、情報記録媒体を収納するには、硬質ポリスチレン系樹脂や半硬質のポリオレフィン系樹脂で形成された、箱型のケースが多く用いられており、特にＣＤ、ＤＶＤ、ＭＯ等のディスク型の情報記録媒体に対しては、防塵性とラベル視認性の点で優れているところから、透明なポリスチレン樹脂ケースが好まれている。
【０００４】
しかし、このような箱型のケースは、取り扱い上の安全性を高めるためもあって、１個又は２個の情報記録媒体を収容する小型のケースでも、強靱さが必要であって嵩張る欠点があるほか、高価であるという問題もあった。そのうえ、多数個の情報記録媒体を分類整理して保存しようとすると、大型の箱型ケースを多数用意することが必要となり、ケースの収納や整理が非効率となるばかりでなく、後日にそれらの記録を検索しようとすると、索引やタグなどを別途整備して置く必要があるなどの不便があった。
【０００５】
【発明が解決しようとする課題】
そこで本発明は、前記のディスク型などの平板状情報記録媒体を簡単に収納することができて、小型で嵩張ることがなく、多数個の情報記録媒体を分類整理して保存するにも適するほか、文書資料などと共に保存するにも利用できる、経済的な情報記録媒体用容器を提供することを目的とした。
【０００６】
【課題を解決するための手段】
上記の目的を達することができる本発明の情報記録媒体用容器は、前面の少なくとも一部又は全部が透明な硬質樹脂フィルムで形成され後面の開口端縁が開口部より突出して形成されてなる略長方形の袋状容器本体と、前面側に重合できる折返し片を先端部分に形成してその前面側となる位置に情報記録媒体の内容等を記入する部位を設けると共に、該容器本体の開口部より露出して前面側に折り返し可能なフラップ片を基端部分に形成し、該フラップ片の一部に前記容器本体の前面に対する着脱可能な結合手段を設けてなるシート状の引出し体とからなり、該引出し体は、該折返し片と該フラップ片とによって情報記録媒体の対向端縁を支持した状態で、該容器本体内に該開口部より出し入れ自在に収納できるよう構成したことを、特徴とするものである。
【０００７】
本発明の情報記録媒体用容器において、前記フラップ片に、前記容器本体の前面に対して着脱可能な結合手段を設けることにより、容器本体の開口部を閉鎖するための蓋としての機能を、該フラップ片に付与することができ、特に該結合手段として、再剥離性粘着剤層又は再剥離性粘着剤層を設けた接合用シートなどを用いると、情報記録媒体の出し入れを極めて簡単且つ迅速に行うことができる利点がある。
【０００８】
【発明の実施の形態】
以下、本発明の情報記録媒体用容器を、図面に基づいて説明する。
本発明の情報記録媒体用容器を構成する容器本体１は、例えば図２に示すような略長方形の袋状体であるが、少なくともその前面部１ａの一部、好ましくは全部が透明な硬質樹脂フィルムで形成されているものである。ここで用いられる硬質樹脂フィルムとしては、エチレン共重合ポリプロピレン樹脂フィルムや、ポリエステル樹脂フィルムなどを挙げることができるが、接着や溶着などの加工によって袋状の容器本体を形成することができれば、適宜の硬質樹脂フィルムを使用することができる。
【０００９】
その一方、その後面部１ｂは前面部１ａと同様に、透明な硬質樹脂フィルムで形成されていてもよいが、透明でなくてもよく、また硬質樹脂フィルムに限定されるものでもない。そしてこの容器本体１は、情報記録媒体３を収容できる大きさの略長方形状の袋状体であるから、この容器本体１の後面部１ｂは、上記の前面部１ａを構成する硬質樹脂フィルムと組み合わせて、袋状の容器本体１を形成することができ、且つ形状保持性を備えた材料であれば、硬質樹脂フィルムに限られることなく、紙その他のシート材料などの適宜の材料を利用することができる。
【００１０】
また、本発明の情報記録媒体用容器を構成する引出し体２は、シート状の材料を用いて、図３に示すように形成されたもので、その先端部分には、前面側に折り返して重ね合せることができる折返し片２ａが形成してある。また基端部分には、容器本体１の開口部１ｃより露出した位置にフラップ片２ｂが形成してあって、このフラップ片２ｂは先端方向へ向かって、前面側に折り返すことができるようになっている。
【００１１】
そして、フラップ片２ｂの先端部の、フラップ片２ｂを折り返したときに内側となる位置に、再剥離性粘着剤層２ｃを設けておくと、この引出し体２を容器本体１の開口部１ｃより挿入したときに、フラップ片２ｂが開口部１ｃの外に残り、この状態でフラップ片２ｂを先端方向へ折り返すと、容器本体１の前面部１ａに再剥離性粘着剤層２ｃが粘着して、フラップ片２ｂを開口部１ｃに蓋をした状態で固定することができる。この場合、再剥離性粘着剤層２ｃを設けた粘着テープ２ｄなどを、フラップ片２ｂ上の適宜の位置に設けるようにしてもよいが、再剥離性粘着剤層２ｃをフラップ片２ｂの内側に直接に設けてもよく、再剥離性粘着剤層２ｃを設ける態様は特に限定されない。
【００１２】
この引出し体２を構成するシート状材料は、植物性のセルロースパルプのほか、レーヨン等の再生繊維、綿や絹等の天然繊維、合成繊維等の短繊維等の繊維材料を用いて抄造した紙、前記と同様な短繊維材料から製造された不織布や不織紙等の紙類似のシート、各種の合成樹脂からなるシートや合成紙などを含み、引出し体２を形成するに用いるに適した剛性、形状保持性、折曲及び折り目付け特性等を有している材料であれば、特に限定されることなく利用することができる。そして、この引出し体２の先端部分に設けた折返し片２ａには、収納する情報記録媒体の内容や見出しなどを記入できるよう、シート材料としては印刷や各書き込みが可能であることが好ましく、例えば５０〜２００ｇ程度の中性洋紙などを利用することができる。
【００１３】
上記のような構成を有する引出し体２は、収納しようとする情報記録媒体３の形状や寸法に合わせて形成することが好ましい。例えば情報記録媒体３としてＣＤ−ＲＯＭを収納しようとするときは、折返し片２ａの折り返し位置からフラップ片２ｂの折り返し位置までの長さを、約１２３mm程度とすることで、ＣＤ−ＲＯＭを引出し体２上に折返し片２ａによって挟み付けた状態で、容器本体１内に確実に挿入することができる。また引出し体２の横幅も、上記に準じて適宜に設定することが望ましい。
【００１４】
こうして情報記録媒体３を折返し片２ａの下に挟んだ引出し体２を、フラップ片２ｂが開いた状態のままで手に持って、容器本体１の開口部１ｃから挿入すると、折返し片２ａを含む引出し体２の大部分が、情報記録媒体３と共に容器本体１内に入り、フラップ片２ｂのみが開口部１ｃの外に残ることになる。そこでフラップ片２ｂを引出し体２の先端方向に向けて折り返し、再剥離性粘着剤層２ｃを設けた部分を容器本体１の前面部１ａに圧着させると、図１に示すように、フラップ片２ｂが容器本体１に粘着して、情報記録媒体３が容器本体１から逸脱しないように固定されることになる。
なお、上記のような引出し体２を容器本体１に挿入する操作を容易にするために、容器本体１の開口部１ｃの前面側縁の長さを、同じく後面側縁の長さより僅かに長く形成しておき、開口部１ｃを開き易くしておくことが好ましい。
【００１５】
このように、情報記録媒体を安全に収容することができる本発明の情報記録媒体用容器は、例えば診療記録などの書類等を保存するファイルの裏表紙などに貼着して、画像等を記録した情報記録媒体を保存するためのポケットとして利用する、ルーズリーフ式の台紙の片面や両面に貼着して、多数の情報記録媒体を分類整理するためのアルバム型の保存用ファイルを、目次や索引などと共に綴じ込んで作成するに利用する、などの長期保存の目的に使用することができる。しかし、書籍や雑誌などの付録としてのＣＤ−ＲＯＭ等の情報記録媒体を、収納して添付するなどの一時的な利用も、可能である。
【００１６】
更に、本発明の情報記録媒体用容器に収納される情報記録媒体としては、上述のように本来はデジタル信号を電子的、光学的、或いは磁気的に記録した記録媒体を想定したものであるが、これに限らずアナログ信号を光学的に記録した、例えば写真や画像などの収納に利用することもでき、或いは紙、布、フィルムなどに文書、絵画、模様などを記入し、又は印刷し、若しくは刻みつけた作品等の収納保存に利用してもよく、これらを綜合的に分類整理して保存するなどにも好適に利用することができる。
【００１７】
【発明の効果】
本発明の情報記録媒体用容器は、前面部分から内容が確認できる袋状の容器本体に、情報記録媒体を保護した状態で保持した引出し体を挿入したうえ、引出し体のフラップ片を折り返して脱落しないように封止するもので、極めて簡単に情報記録媒体を出し入れすることができるうえ、出し入れに際して情報記録媒体を傷つけることがない。更に、構造が簡素であってコンパクトに収納できるうえ、多数の情報記録媒体を分類整理して保存するシステムを、経済的に提供できる効果がある。
【図面の簡単な説明】
【図１】本発明の情報記録媒体用容器の正面図である。
【図２】本発明の情報記録媒体用容器の容器本体の正面図である。
【図３】本発明の情報記録媒体用容器の引出し体の斜視図である。
【符号の説明】
１          容器本体
１ａ        前面部
１ｂ        後面部
１ｃ        開口部
２          引出し体
２ａ        折返し片
２ｂ        フラップ片
２ｃ        再剥離性粘着剤層
２ｄ        粘着テープ
３          情報記録媒体
【図１】
0003798272.tif 000002
【図２】
0003798272.tif 000003
【図３】
0003798272.tif 000004